(57)【要約】      （修正有）【課題】病気を治療するための、落雷前の雷雨水と同じマイナス静電気水の製造装置及び静電気放射装置の提供。【解決手段】交流電圧を出力とするための交流電圧出力部と、この交流電圧出力部からの交流電圧を整流して脈流出力を得るための整流部と、この整流部からの脈流の電圧を増幅するための電圧増幅部とを含む静電気と磁力線発生装置によりマイナス静電気水を作る。【選択図】図１
2010115632.tif 000002
【特許請求の範囲】
【請求項１】
交流電圧を出力とするための交流電圧出力部と、此の交流電圧出力部からの交流電圧を整流して脈流出力を得るための整流部と、此の整流部からの脈流の電圧を増幅するための電圧増幅部とを含む、静電気と磁力線発生装置であって、前記電圧増幅部は、入力端部が前記整流部のプラス出力側に銅板シートに接続された第１導電の銅板シートと、
入力側端部前記整流部のマイナス出力側に亜鉛又はアルミ接続された第２の導電亜鉛シート、これら２つの導電シート間に介設された絶縁シートと、を含み此れらの３つのシート互いに重ねられで、其の重ねられた部分断面が略コイル状となるように巻回されており更に前記の３つのシートが巻回された部分に、中心には巻線コイル鉄心が備えられて成るものである、ことを特徴とする静電気発生装置、
【請求項２】
脈流出力とするための清流部と、此の整流部からの脈流の電圧を増幅し静電気と磁力線を発生するための電圧増幅部と、前記電圧増幅部のプラス出力側に陽イオンを持つ金属シートに接続されたプラス電極部と、前記電圧増幅部のプラス出力側に接続されたプラス電極部と、
前記電圧増幅部のマイナス出力側に陰イオンを持つ金属シートに接続されており前記プラス電極部に対向して配置されているマイナス電極部と、互いに逆方向に電流を通電し摩擦電気と、磁力線の渦電流発生装置を備え、プラス、マイナスの静電気と磁力線を放射する、アルカリ放射線水で電子ミサイル製造装置
【発明の詳細な説明】
【発明の詳細説明】
【産業上の利用分野】
【０００１】（医薬品として利用する）
（ハイテク技術を使って、第３時限の世界に存在する強力な敵を撃退する）
本発明は落雷前の静電気を含んだ雷雨水と同じ製造装置を作り、アルカリ食品で作ったお茶や、漢方薬のお茶などにマイナス静電気を放射し此のお茶を飲んで医療機関では難とする病を治療する、手術を必要とする癌などの病や、ＨＩＶエイズウイルス、インフルエンザなどのウイルス感染症及び、水虫性病などのカビ感染症を、電子ミサイルの様な者で撃退し病を治す方法である、
（其の原理とは）
健康な人の内臓の臓器は全て弱アルカリ性であり、更にマイナス電気に強い、此れに反し癌細胞やウイルス、バクテリヤ細菌などは陽性細胞で、酸性であるため、電気的にはプラスに該当する、健康な人の細胞とは全く逆であるため、磁力線の原理で互いに吸い付き合い中和し病原菌が消滅する、
特に電子は質量が小さく機動性に優れているため、薬品とは比較できない、病原菌を電子ミサイル攻撃するのと同じである、此の方法に依って、医薬品では難とする病を治療する、此の方法は既に１０年以上前から試験的に実施されており、医科大学の培養試験成績書や、此のお茶を飲んで治った人の病院のカルテなど多数有る、
【背景技術】
【０００２】従来此れに似た様なイオン水製造装置はある、電気イオン水を飲んだら健康に良いとされている、其のイオン水製臓装置とは水道水に２４ボルトの直流電流を通しただけの者である、従って電気イオン水とは、ゼロに近い程の微弱な電気しか存在しない、其のため健康に良くても病気を治療する事は出来ない、又水道水には消毒薬塩素が存在するため、マイナスイオンと中和し電気イオンは充電しても存在し難い、
此れに反しアルカリ放射線水は、アルカリ食品を煮つめたエキスをお茶として、落雷前の雨水と同じマイナス静電気水を人工的に作り、此の静電気水を飲んで病原菌を撃退し病気を治療する、従来には静電気製造装置は存在しない、又、電子ミサイルなども存在しなかった、飲んでも人体無害、
【発明が解決しようとする課題】
【０００３】本発明は医薬品では限界があり、手術を必要としたり、又抗癌剤の様な激しい副作用を避け、簡単に病気を治療するものである、１０数年前から開発を進め幾度となく改良を重ね現在に至ったのである、其のお茶の水を電解液とするため、食品の種類に依って電気量が変わる、しかし其の効果は偉大なものである、其れは此のお茶を飲んで病気の治療を受けた人の実績に依るものである、
治った人の大病院のカルテや医科大学のＨＩＶウイルスの抗体培養試験成績書など多数所有している、本機を開発し人類の為と、経済発展のため努力したいと思っている、
【問題を解決しようとする手段】
【０００４】（マイナス静電気で電子ミサイルを作る事）
本アルカリ放射線水製造装置を製造する手段として、高周波の電圧増幅部設け其れに、静電気や磁力線を混入し、アルカリ食品を煮つめて作ったお茶に静電気を放射し、落雷前の雷雨水と同じ静電気水を作り其のお茶を飲んで、医薬品では難とする病気を治療する、静電気は薬品とは比較にならない程敏感である為、要請細胞に吸い付き、病原菌を電子ミサイルで狙い撃ちするのと同じ効果がある、静電気を此の様な方法で利用する方法、
【作用】
【０００５】（発明の実施の形態）
［図１］は本発明の実態の全体図でありＦ１で高周波の基本波発信しＴ１でアースを０ボルトとして電圧を増幅させＳ１で整流しプラス脈流とマイナス脈流に分けＥＰにはプラス（ａ）のＰＥ波、ＮＡにはマイナスの（ｂ）のＮＡ波をＰ１の入力とする、一方Ｐ１は静電気や磁力線発生装置である、
［図３］（ａ）は静電気や磁力線の発生装置Ｐ１の説明、
【０００６】（ａ）の１は絶縁シート、２はプラスイオンを持つ銅シート、３は絶縁紙、４は亜鉛やアルミシート、５は絶縁紙からなり、此のシートを巻線コイルとし図の様にロール状に巻き、芯にＧ鉄芯コイルをセットしｅ２、ｅ１で駆動する．
（ｂ）図の様に制作し電流を逆方向から負荷し摩擦電気、（静電気）を作り、又金属シートがコイルである為、磁力線が発生する、（Ｃ）図は其の［Ｐ１］のロール状のシートを平面状にしたものであり、
２の銅板シートにはプラスＰＥを負荷し、４の亜鉛シートにはＮＡのマイナス電流のを負荷すると、［図５］ＵＳのプラス静電気とＧＳのプラス磁力線と、一方ＵＮはマイナス静電気とＧＮのマイナス磁力線を発生する構造になっている、（図１）Ｐ１のＣケースを真空にすれば更に静電気発生が大きくなる、其の電流をＨ１、Ｈ２に負荷し
Ｈ２のアルカリ食品水を電解液とし、マイナス静電気水を作り其の水をお茶として飲むと、体内の陽性細胞と、吸付き合い電子ミサイルの様な働きをする、ウイルスや癌細胞は陽性細胞プラスである為磁力線の法則に依り互いに吸付き合い消滅する、
［図７］は作られたお茶の静電気測定図であり電気量を測定できる、電池と同じく電流と電圧を測定できる、［図２］のＥはオッシロスコウプで見たＨ１＋の無負荷時の電流波形、ＥはＨ２のマイナス波形（Ｈ）はプラス静電気Ｇは磁力線、もし電気量が微弱であれば飲んでも効果は無い、此の様な方法に依って医薬品では難とする病気を治療する、
【発明の効果】
【０００７】医薬品や医療機関では難とする病、癌やウイルス感染症などを治療するのに医薬品では限界があり、手術を必要とする、其の難病を静電気水のお茶を飲んで簡単に治療するものである、（医科大学の培養試験書有り）
（効果の実例）
私が数十年前から重い糖尿病に係り何度も癌に係ったり、流感に係ったりして体が弱かった、当時電気設計をしていたので癌やウイルスの性質を利用して、電気で治す方法は無いかと考え、何回も失敗を重ね本製品を開発した、十数年前より私だけではなく試験的に多数の癌患者やウイルス感染症の人に飲ませ治療した、其の飲んだ人の記録書や大病院のカルテ及びレントゲン写真など多数所有している、ガン細胞やウイルス感染症は一発ＯＫである、又
マイナス静電気に依って体内の老廃物か排出され、臓器の細胞が活性化されので病気に対する抵抗力が強くなる、元気になる、
【図面の簡単な説明】
【図１】Ｆ１は基本波の高周波発信装置、Ｔ１は電圧電圧増幅用高周波出力トランス、Ｓ１は高周波の高電圧整流器  Ｐ１は静電気と磁力線発生器、Ｇは磁力線発生用マグネット巻線コイル、Ｙ１はガラス又はプラスチックの絶縁ケース、ＦＥは素焼の陶器濡れたら通電する、Ｄ１は静電気を負荷する為の炭素板のプラス電極板、Ｄ２はアルミ又はステンデス板のマイナス電極、ＷＡ、ＷＢはアルカリ食品で作った電解液のお茶、（ａ）はＴ１の出力アースを０ボルトとした基本波ＰＥプラス、（ｂ）はＰ１の出力アースを０ボルトとした基本波ＮＡのマイナス、ＰＳは負荷時の基本波プラス、ＰＮは負荷時の基本波マイナス、
【図２】Ｃの点線内は真空ケース、Ｈ１及びＨ２は出力板、（Ｅ）と（Ｆ）は無負荷時の出力波、
【図３】（ａ）は静電気発生装置Ｐ１の説明図  （ｂ）はＰ１のロールコイルの電流負荷の説明図  （Ｃ）はＰ１を平面にした、電流負荷の説明図
【図４】は高電圧発生装置の図
【図５】Ｐ１の静電気と磁力線発生器のせつめい図  ＵＳは静電気、ＧＳは磁力線、
【図６】はオッシロスコウプで見た無負荷時の出力波形、
【図７】（ａ）は電流測定図、［ｂ］は電圧測定図、
【図１】
2010115632.tif 000003
【図２】
2010115632.tif 000004
【図３】
2010115632.tif 000005
【図４】
2010115632.tif 000006
【図５】
2010115632.tif 000007
【図６】
2010115632.tif 000008
【図７】
2010115632.tif 000009